(57)【要約】【課題】建物の防犯性の向上とプライバシー確保との両立を図る。【解決手段】建物１０には、建物本体１１と仕切り壁１４との間に、水平方向に屋外に開放された開放空間としてのオープンスペースＡ０が設けられている。また、建物本体１１と仕切り壁１４との屋外側端部又は同端部付近に、建物外部からオープンスペースＡ０への視線を遮断可能なシャッタ装置２０（開閉装置）が設けられている。本防犯システムにおいてコントローラは、シャッタ装置２０の開閉状態を検出するとともに、オープンスペースＡ０における人の有無を検出する。また、コントローラは、シャッタ装置２０の開閉状態の検出結果及びオープンスペースＡ０での人検出結果に基づいてシャッタ装置２０の開閉制御を実施する。【選択図】図４
2010180592.tif 000002
【特許請求の範囲】
【請求項１】
互いに離間しかつ対向して設けられる２つの壁部間に、水平方向に屋外に開放された開放空間が設けられ、前記壁部の屋外側端部又は同端部付近に、建物外部から前記開放空間への視線を遮断可能な開閉装置が設けられた建物に適用され、
前記開閉装置の開閉状態を検出する開閉検出手段と、
前記開放空間における人の有無を検出する人検出手段と、
前記開閉検出手段による前記開閉装置の開閉状態の検出結果及び前記人検出手段による人検出結果に基づいて前記開閉装置の開閉制御を実施する開閉制御手段と、
を備えることを特徴とする防犯システム。
【請求項２】
前記開閉制御手段は、前記開閉検出手段により前記開閉装置が閉鎖状態であることが検出される第１条件、及び前記人検出手段により前記開放空間に人有りと検出される第２条件が成立している場合に前記開閉装置を閉鎖状態から開放状態にする請求項１に記載の防犯システム。
【請求項３】
前記建物は、前記開放空間を囲む壁部に設けられ該開放空間と屋内とを連通する窓設備と、同窓設備の施解錠を行うための施錠装置とを有し、
前記窓設備の施解錠状態を検出する施解錠検出手段を備え、
前記開閉制御手段は、前記第１条件及び前記第２条件に加え、前記施解錠検出手段により前記窓設備が施錠状態であることが検出される第３条件が成立している場合に前記開閉装置を閉鎖状態から開放状態にする請求項２に記載の防犯システム。
【請求項４】
前記開放空間を囲む壁部に設けられ該開放空間と屋内とを連通する窓設備から屋内へ侵入しようとしている者の有無を検出する侵入者検出手段を備え、
前記開閉制御手段は、前記第１条件及び前記第２条件に加え、前記侵入者検出手段により前記窓設備から侵入しようとしている者が検出される第４条件が成立している場合に前記開閉装置を閉鎖状態から開放状態にする請求項２又は３に記載の防犯システム。
【請求項５】
前記開放空間を囲む壁部に設けられ該開放空間と屋内とを連通する窓設備に、前記開放空間から建物内部への視線を遮断可能な窓部開閉装置が設けられており、
前記開閉制御手段は、前記第１条件及び前記第２条件が成立している場合に前記窓部開閉装置を閉鎖状態にする請求項２乃至４のいずれか一項に記載の防犯システム。
【請求項６】
前記開閉装置は、電動式のシャッタカーテンにより建物外部から前記開放空間への視線を遮断するシャッタ装置であり、
前記開閉制御手段は、前記開閉装置の開閉制御として、前記シャッタカーテンの閉鎖状態と開放状態とを切り替える請求項１乃至５のいずれか一項に記載の防犯システム。
【請求項７】
前記開閉装置は、同開閉装置の少なくとも一部が複数のスラットからなるルーバとして構成されており、
前記開閉制御手段は、前記開閉装置の開閉制御として前記スラットの開度を変更する請求項１乃至６のいずれか一項に記載の防犯システム。
【請求項８】
前記開閉制御手段は、前記開閉検出手段により前記開閉装置が閉鎖状態であることが検出される第１条件、及び前記人検出手段により前記開放空間に人有りと検出される第２条件が成立している場合に前記スラットの開度を開側に変更する請求項７に記載の防犯システム。
【発明の詳細な説明】
【技術分野】
【０００１】
本発明は、防犯システムに関する。
【背景技術】
【０００２】
従来、サービスヤードや中庭などの屋外スペースが建物本体に隣接して設けられたものがあり、かかる構成により、比較的狭小な敷地内に建物が構築されている所謂都市型住宅において、限られた敷地を最大限に生かしつつ住居等の建物における開放性を確保することが行われている（例えば、特許文献１参照）。特許文献１には、外部居住空間としてのサービスヤードが一階に設けられた住宅において、そのサービスヤードの周囲に目隠し構造物を設置することが開示されている。この目隠し構造物は可動式であり、必要に応じてサービスヤードの周囲に配置できるようになっている。すなわち、サービスヤードを開放的な空間として利用したい場合には、目隠し構造物を収納して建物と建物外部との開口部を広くするようにする。一方、サービスヤードを閉鎖的な空間として利用したい場合には、目隠し構造物を周囲に配置して建物外部からの視線を遮るようにする。目隠し構造物により閉鎖的な空間が形成された場合、目隠し構造物の存在により住人のプライバシーが確保されるとともに、建物外部からの不審者の侵入を抑制する効果が期待される。
【先行技術文献】
【特許文献】
【０００３】
【特許文献１】特開２００３−４１８６６号公報
【発明の概要】
【発明が解決しようとする課題】
【０００４】
しかしながら、目隠し構造物を屋外スペースの周囲に配置して閉鎖的な空間を形成した場合、その目隠し構造物により屋外スペースにおいてプライバシー確保と不審者侵入の抑制とを図ることができる反面、一旦不審者が侵入してしまった場合には、目隠し構造物により建物外部から屋外スペースへの視線が遮断されてしまう。そのため、屋外スペースに侵入した不審者を建物外部から発見することが困難になるおそれがある。つまり、目隠し構造物により屋外スペースに建物外部からの死角が形成されてしまい、不審者にとって絶好の隠れ場になることが考えられる。
【０００５】
本発明は、上記事象に鑑みなされたものであり、建物の防犯性の向上とプライバシー確保との両立を図ることができる防犯システムを提供することを主たる目的とする。
【課題を解決するための手段】
【０００６】
本発明は、上記課題を解決するために、以下の手段を採用した。
【０００７】
すなわち、本発明は、互いに離間しかつ対向して設けられる２つの壁部間に、水平方向に屋外に開放された開放空間が設けられ、前記壁部の屋外側端部又は同端部付近（換言すると、開放空間と建物外部空間との境界部又はその付近）に、建物外部から前記開放空間への視線を遮断可能な開閉装置が設けられた建物に適用され、前記開閉装置の開閉状態を検出する開閉検出手段と、前記開放空間における人の有無を検出する人検出手段と、前記開閉検出手段による前記開閉装置の開閉状態の検出結果及び前記人検出手段による人検出結果に基づいて前記開閉装置の開閉制御を実施する開閉制御手段と、を備えることを特徴とする。
【０００８】
建物に、例えば中庭（内庭）などの開放空間を設けることで、比較的密集して設けられる所謂都市型住宅において建物の開放性が確保される反面、その開放空間の周囲が壁等に取り囲まれているために防犯性が低下することが懸念される。すなわち、開放空間の周囲の壁等により建物外部からの視線が遮断されるため、開放空間の中の様子を建物外部から見ることができない。そのため、開放空間に不審者が侵入した場合、その不審者を発見するのが困難になることが考えられる。その一方で、開放空間の少なくとも一部を建物外部と常に連通した状態にしておくと、建物外部からの視線が通過されるため、その開放空間や建物本体の中の様子が外部に曝け出されてしまい、住人のプライバシーの確保が困難になることが考えられる。
【０００９】
その点に鑑み、本発明は、建物外部から開放空間への視線を遮断可能な開閉装置を備える構成において、開閉装置の開閉状態と開放空間の滞在者の有無に基づいて開閉装置の開閉制御を実施する。こうすれば、建物外部から開放空間への視線を、開閉装置の開閉状態及び開放空間の滞在者の有無に応じて積極的に通過させ又は遮断することができる。これにより、防犯性向上とプライバシー確保との両立を図ることができる。
【００１０】
本発明において、前記開閉制御手段は、前記開閉検出手段により前記開閉装置が閉鎖状態であることが検出される第１条件、及び前記人検出手段により前記開放空間に人有りと検出される第２条件が成立している場合に前記開閉装置を閉鎖状態から開放状態にするのが好ましい。開閉装置により建物外部から開放空間への視線が遮断され、かつ開放空間に人が滞在している場合に、開閉装置を閉鎖状態から開放状態に変更することにより、開放空間に潜む不審者の姿を建物外部に曝け出すことができる。これにより、防犯性を向上させることができる。
【００１１】
本発明において、前記建物は、前記開放空間を囲む壁部に設けられ該開放空間と屋内とを連通する窓設備と、同窓設備の施解錠を行うための施錠装置とを有し、前記窓設備の施解錠状態を検出する施解錠検出手段を備え、前記開閉制御手段は、前記第１条件及び前記第２条件に加え、前記施解錠検出手段により前記窓設備が施錠状態であることが検出される第３条件が成立している場合に前記開閉装置を閉鎖状態から開放状態にしてもよい。開放空間に面する窓設備が施錠状態であるのにもかかわらず開放空間に進入者が存在している場合、その進入者は不審者である可能性が高い。したがって、窓設備が施錠状態の場合に開閉装置を閉鎖状態から開放状態に変更するという要件を加えることにより、住人等といった開放空間への進入が許容されている者に対する過度の警戒を抑制しつつ不審者に対する警戒を十分に行うことができる。
【００１２】
本発明において、前記開放空間を囲む壁部に設けられ該開放空間と屋内とを連通する窓設備から屋内へ侵入しようとしている者の有無を検出する侵入者検出手段を備え、前記開閉制御手段は、前記第１条件及び前記第２条件に加え、前記侵入者検出手段により前記窓設備から侵入しようとしている者が検出される第４条件が成立している場合に前記開閉装置を閉鎖状態から開放状態にしてもよい。窓設備から屋内に侵入しようとする者に対して開閉装置による威嚇を行うことにより、開放空間への進入が許容されている者（住人等）に対する過度の警戒を抑制しつつ不審者に対する警戒を十分に行うことができる。
【００１３】
本発明において、前記開放空間を囲む壁部に設けられ該開放空間と屋内とを連通する窓設備に、前記開放空間から建物内部への視線を遮断可能な窓部開閉装置が設けられており、前記開閉制御手段は、前記第１条件及び前記第２条件が成立している場合に前記窓部開閉装置を閉鎖状態にしてもよい。この構成によれば、内部開閉装置が閉鎖状態になることにより、開放空間の滞在者が建物開口部から建物内に侵入するのを抑制することができ、これにより、防犯性を高めることができる。
【００１４】
本発明において、前記開閉装置は、電動式のシャッタカーテンにより建物外部から前記開放空間への視線を遮断するシャッタ装置であり、前記開閉制御手段は、前記開閉装置の開閉制御として、前記シャッタカーテンの閉鎖状態と開放状態とを切り替えるのが好ましい。シャッタカーテンが閉鎖状態であると、開放空間の中の様子を建物外部から視認できないところ、シャッタカーテンを開放状態とすることにより、開放空間の様子を視認することができ、開放空間内の不審者を外部に曝すことができる。また、シャッタカーテンを閉鎖状態から開放状態に切り替えることにより、開放性の高い空間を容易にかつ速やかに作り出すことができ、不審者に対する威嚇効果を好適に得ることができる。
【００１５】
本発明において、前記開閉装置は、同開閉装置の少なくとも一部が複数のスラットからなるルーバとして構成されており、前記開閉制御手段は、前記開閉装置の開閉制御として前記スラットの開度を変更してもよい。この構成によれば、開閉装置の開閉状態と開放空間における滞在者の有無に基づいてスラットの開度が変更されるため、建物外部から開放空間への視線を、開閉装置の開閉状態及び開放空間における滞在者の有無に応じて積極的に通過させ又は遮断することができる。その結果、防犯性を向上させることができる。
【００１６】
開閉装置が複数のスラットを備える構成において、前記開閉制御手段は、前記開閉検出手段により前記開閉装置が閉鎖状態であることが検出される第１条件、及び前記人検出手段により前記開放空間に人有りと検出される第２条件が成立している場合に前記スラットの開度を開側に変更するとよい。この構成によれば、開閉装置により建物外部から開放空間への視線が遮断され、かつ開放空間に人が滞在している場合にスラットを開側に変更することにより、スラット間の隙間から開放空間に潜む不審者の姿を建物外部に曝け出すことができる。
【図面の簡単な説明】
【００１７】
【図１】防犯システムを備える建物の概略を示す外観斜視図。
【図２】建物の概略を示す平面図。（ａ）は一階部分を示し、（ｂ）は二階部分を示す。
【図３】シャッタ装置の概略構成及び本防犯システムの電気的構成を示す図。
【図４】シャッタカーテンの各種形態を説明するための模式図。（ａ）はシャッタカーテンの閉鎖状態を示し、（ｂ）はシャッタカーテンの開放状態を示す。
【図５】シャッタ防犯処理の処理手順を示すフローチャート。
【図６】他の実施形態の図。
【図７】他の実施形態の図。
【発明を実施するための形態】
【００１８】
以下に、本発明を具体化した実施の形態について図面を参照しつつ説明する。図１及び図２に、本実施形態の防犯システムを備える二階建て建物の概要を示す。なお、図１は、建物の外観斜視図であり、図２のうち（ａ）は建物の一階部分の平面図であり、（ｂ）は建物の二階部分の平面図である。
【００１９】
図１に示すように、建物１０は二階建て住宅として構築されており、居住空間を形成する建物本体１１には玄関１２や窓部１３などが設けられている。また、建物１０は、建物本体１１に対面して立設する仕切り壁１４を備えている。建物本体１１と仕切り壁１４との間には、例えば中庭（内庭）などとして利用される非居住空間としてのオープンスペースＡ０が形成されている。
【００２０】
本実施形態においてオープンスペースＡ０は、高さ方向及び水平方向に屋外に開放された空間になっており、建物本体１１の一階部分と仕切り壁１４との間の領域が中庭Ａ１になっている（図２（ａ）参照）。中庭Ａ１について本実施形態では、住人によって多目的に利用されるスペースになっており、例えば娯楽や植栽、物干し場、駐車などに利用される。中庭Ａ１は、建物本体１１の一階部分に設けられた例えば腰高窓などの窓部１３ａに面しており、この窓部１３ａにおいて、施錠装置１８ａにより施解錠可能な引き違い式のガラス戸が配置されている。
【００２１】
一方、建物本体１１の二階部分と仕切り壁１４との間の領域には、図２（ｂ）に示すように、オープンスペースＡ０の一部に、建物本体１１の外壁よりも張り出した屋外床よりなるバルコニー１５が設けられており、屋外床、腰壁１６及び仕切り壁１４に囲まれた空間（バルコニー空間Ａ２）に、人が存在可能なスペースが形成されている。バルコニー１５は、建物本体１１の二階部分に設けられた例えば掃出窓などの窓部１３ｂに面しており、この窓部１３ｂにおいて、施錠装置１８ｂにより施解錠可能な引き違い式のガラス戸が配置されている。なお、オープンスペースＡ０の二階部分は、バルコニー１５を除くスペースが吹き抜けになっており、中庭Ａ１と建物１０上方の空間とが連通した状態になっている。
【００２２】
オープンスペースＡ０の正面と背面には、図２（ａ）及び（ｂ）に示すように、建物本体１１と仕切り壁１４の端部とを挟む空間に開口部１７ａ，１７ｂがそれぞれ形成されており、開口部１７ａ，１７ｂを通じて建物外部の地上面から中庭Ａ１への人の出入りが可能になっている。この開口部１７ａ，１７ｂ、すなわち建物本体１１及び仕切り壁１４の屋外側端部には、電動式のシャッタ装置２０が各々設けられている。シャッタ装置２０は、開口部１７ａ，１７ｂにおいて、一階部分と二階部分とにそれぞれ別個に設けられており、一階部分の開閉と二階部分の開閉とを独立して実施できるようになっている。すなわち、本実施形態では、オープンスペースＡ０の正面一階部分及び二階部分、背面一階部分及び二階部分の合計４箇所にシャッタ装置２０（２０ａ１，２０ａ２，２０ｂ１，２０ｂ２）が設けられており、各々のシャッタ装置２０ａ１，２０ａ２，２０ｂ１，２０ｂ２が独立して開閉制御される。
【００２３】
シャッタ装置２０（２０ａ１，２０ａ２，２０ｂ１，２０ｂ２）の具体的構成について説明する。なお、以下、４つのシャッタ装置２０ａ１，２０ａ２，２０ｂ１，２０ｂ２の全部を示す場合に便宜上シャッタ装置２０と記載する。
【００２４】
図３は、シャッタ装置２０の概略構成及び本防犯システムの電気的構成を示す図である。図３に示すように、シャッタ装置２０は、開口部１７ａ，１７ｂに取り付けられたシャッタケース２１と、シャッタケース２１内に巻き取られた状態で収納されるシャッタカーテン２２とが設けられている。また、シャッタカーテン２２にはモータ等の駆動装置２３が連結されており、その駆動装置２３の駆動によりシャッタカーテン２２が上下移動される。つまり、シャッタ装置２０によれば、シャッタカーテン２２がシャッタケース２１から引き出されることにより開口部１７ａ，１７ｂが閉鎖され、シャッタカーテン２２がシャッタケース２１内に巻き取られることにより開口部１７ａ，１７ｂが開放される。
【００２５】
次に、本防犯システムの電気的構成について図３を用いて説明する。図３に示すように、本防犯システムには、シャッタ装置２０の他に、シャッタカーテン２２の開閉状態を検出する開閉センサ２４や、人の有無を検出する人感センサ２５などの各種センサが設けられている。シャッタ装置２０及び各種センサは、システム全体を制御するコントローラ３０に電気的に接続されている。
【００２６】
詳細には、開閉センサ２４は、シャッタカーテン２２の開閉状態を示す検出信号をコントローラ３０に逐次出力するものであり、例えば接触式やマグネット式のセンサとして構成されている。開閉センサ２４は、開口部１７ａ，１７ｂの一階部分及び二階部分にそれぞれ設けられている。この開閉センサ２４により、４つのシャッタ装置２０におけるそれぞれのシャッタカーテン２２が、シャッタケース２１から引き出された閉鎖状態か、あるいはシャッタケース２１内に巻き取られた開放状態かが個別に検出される。
【００２７】
人感センサ２５は、検出エリア内での人の有無を示す人検出信号をコントローラ３０に逐次出力するものであり、仕切り壁１４や建物本体１１の外壁に取り付けられた例えば赤外線センサとして構成されている。本実施形態では、中庭Ａ１の全領域を人検出エリアとする第１センサ２５ａと、バルコニー空間Ａ２を人検出エリアとする第２センサ２５ｂとが設けられている。この第１センサ２５ａにより中庭Ａ１での人の有無が検出され、第２センサ２５ｂによりバルコニー１５での人の有無が検出される。
【００２８】
コントローラ３０は、シャッタ装置２０におけるシャッタカーテン２２の開閉制御を実施する。具体的には、コントローラ３０は、開閉センサ２４や人感センサ２５等から各々検出信号を入力し、入力した各種検出信号に基づいてシャッタ装置２０の駆動装置２３にそれぞれ制御信号を出力する。これにより、駆動装置２３が個別に駆動され、シャッタカーテン２２の開閉状態が個別に制御される。
【００２９】
以下、シャッタカーテン２２の開閉制御による防犯処理ついて詳細に説明する。
【００３０】
オープンスペースＡ０では、シャッタカーテン２２が開放状態になることにより建物外部に対し水平方向に開放された空間となり、建物１０において開放性が確保される。一方、シャッタカーテン２２が閉鎖状態（全閉状態）になることにより、オープンスペースＡ０が、正面及び背面のシャッタカーテン２２、建物本体１１及び仕切り壁１４によりその四方が取り囲まれる。これにより、オープンスペースＡ０に閉空間が形成され、その閉空間において住人のプライバシーが確保される。その反面、シャッタカーテン２２により形成された閉空間の様子を建物外部から視認できなくなる。そのため、シャッタカーテン２２が閉鎖状態にあるときに、不審者が、例えば建物本体１１の屋根部を渡って降りてきたり、仕切り壁１４を乗り越えたりすることにより中庭Ａ１やバルコニー空間Ａ２に侵入した場合、その不審者を建物外部から発見することができないおそれがある。すなわち、シャッタカーテン２２によりオープンスペースＡ０が閉空間となることで、中庭Ａ１やバルコニー空間Ａ２が不審者にとって絶好の隠れ場となることが懸念される。更には、窓部１３ａ，１３ｂが不審者にとって建物本体１１内への絶好の侵入場所になることも考えられる。
【００３１】
その一方で、シャッタカーテン２２を開放状態にしたままにしてオープンスペースＡ０を常に建物外部と連通した状態にしておくと、建物外部からの視線が通過されるため、オープンスペースＡ０や建物本体１１の中の様子が外部に曝け出されてしまう。かかる場合、住人のプライバシーの確保が困難になる。また、不審者が開口部１７ａ，１７ｂからオープンスペースＡ０の中に容易に侵入してしまい、防犯性の低下を招いてしまう。
【００３２】
そこで、本実施形態では、シャッタカーテン２２が閉鎖状態であること（第１条件）、及び人感センサ２５により人有りと検出されていること（第２条件）の両条件が成立した場合に、シャッタ装置２０の駆動装置２３を駆動してシャッタカーテン２２を開放状態（全開状態）にする。これにより、オープンスペースＡ０において建物外部からの見通しが良好になるようにする。
【００３３】
図４は、シャッタカーテン２２の各種形態を説明するための模式図である。図４のうち（ａ）はシャッタカーテン２２の閉鎖状態を示し、（ｂ）はシャッタカーテン２２の開放状態を示す。
【００３４】
図４（ａ）に示すように、一階部分及び二階部分においてシャッタ装置２０のシャッタカーテン２２が閉鎖状態の場合、シャッタカーテン２２によって建物外部からオープンスペースＡ０への視線が遮断されるため、オープンスペースＡ０の様子を建物外部から視認することができない。かかる場合、オープンスペースＡ０に不審者Ｐが侵入していたとしても、その不審者Ｐを建物外部から見付けることができない。
【００３５】
これに対し、中庭Ａ１又はバルコニー空間Ａ２に人有りと検出されている場合に、一階部分及び二階部分のシャッタカーテン２２がシャッタケース２１内に収納されて開放状態になると、図４（ｂ）に示すように、建物外部からオープンスペースＡ０への視線が遮断されなくなるため、建物外部からオープンスペースＡ０を見通すことが可能になる。これにより、オープンスペースＡ０において建物外部からの視認性が良好になり、中庭Ａ１やバルコニー空間Ａ２に滞在する不審者Ｐを建物外部から容易に発見可能になる。また、シャッタカーテン２２を閉鎖状態から開放状態にすることにより不審者Ｐの意表を突くことができ、不審者に対する威嚇が可能になる。
【００３６】
なお、シャッタカーテン２２を開放状態にする際、本実施形態では、全てのシャッタ装置２０（２０ａ１，２０ａ２，２０ｂ１，２０ｂ２）のシャッタカーテン２２を開放状態にする。これにより、建物１０の開放性をできるだけ高くし、オープンスペースＡ０において不審者の隠れ場が形成されないようにする。
【００３７】
次に、コントローラ３０によって実行されるシャッタ装置２０の開閉制御による防犯処理（シャッタ防犯処理）について図５のフローチャートを用いて説明する。この処理は、所定の時間周期で実行される。
【００３８】
図５において、まずステップＳ１１では、開閉センサ２４からの検出信号に基づいて第１条件が成立しているか否か、つまりシャッタカーテン２２が閉鎖状態であるか否かを判定する。本実施形態では、いずれかのシャッタ装置２０におけるシャッタカーテン２２が閉鎖状態であれば、第１条件が成立しているものと判定する。第１条件が成立している場合には、ステップＳ１２へ進み、人感センサ２５（第１センサ２５ａ及び第２センサ２５ｂ）からの人検出信号に基づいて第２条件が成立しているか否か、つまり中庭Ａ１及びバルコニー空間Ａ２のいずれかで人有りの旨の人検出がなされているか否かを判定する。第２条件が成立している場合には、ステップＳ１３へ進み、閉鎖状態になっているシャッタカーテン２２の駆動装置２３を駆動することにより、そのシャッタカーテン２２を閉鎖状態から開放状態にする。これにより、オープンスペースＡ０の全てのシャッタカーテン２２が開放状態となり、オープンスペースＡ０の見通しが良好になる。
【００３９】
以上詳述した本実施形態によれば、以下の優れた効果が得られる。
【００４０】
シャッタカーテン２２が閉鎖状態であること（第１条件）、及び中庭Ａ１又はバルコニー空間Ａ２に侵入者ありと検出されていること（第２条件）が成立している場合にシャッタカーテン２２を閉鎖状態から開放状態にする構成としたため、建物外部からオープンスペースＡ０への視線を、シャッタカーテン２２の開閉状態と、中庭Ａ１やバルコニー空間Ａ２での滞在者の有無とに応じて積極的に通過させ又は遮断させることができる。つまり、シャッタカーテン２２により建物外部からの視線が遮断され、かつオープンスペースＡ０に人が滞在している場合に、シャッタカーテン２２を閉鎖状態から開放状態に変更することにより、中庭Ａ１やバルコニー空間Ａ２に潜む不審者の姿を建物外部に曝け出すことができる。
【００４１】
また、シャッタカーテン２２の開閉状態とオープンスペースＡ０での滞在者の有無により必要に応じてシャッタカーテン２２を開放状態にするため、シャッタカーテン２２を常時開放状態にしておく必要もないし、常時閉鎖状態にしておく必要もない。したがって、住人の要求に応じてシャッタカーテン２２の閉鎖状態と開放状態とを作り出すことができ、これにより、防犯性向上とプライバシー確保とを両立させることができる。
【００４２】
また、シャッタカーテン２２を閉鎖状態から開放状態に切り替えるため、開放性の高い空間を容易にかつ速やかに作り出すことができ、不審者に対する威嚇効果が高い。また、シャッタカーテン２２が巻き取られる際にシャッタカーテン２２から音が発せられる場合には、その音により不審者を威嚇することができる。
【００４３】
閉鎖状態のシャッタカーテン２２を開放状態にする際、全てのシャッタ装置２０のシャッタカーテン２２を開放状態にする構成としたため、建物１０の開放性をできるだけ高くすることができ、不審者の発見を容易にすることができる。また、オープンスペースＡ０において不審者の隠れ場が形成されないようにすることができる。
【００４４】
（他の実施形態）
本発明は上記の実施形態の記載内容に限定されず、例えば次のように実施されてもよい。
【００４５】
・第１条件及び第２条件に加え、更に、窓部１３ａ，１３ｂの施解錠状態に基づいてシャッタ装置２０の開閉制御を実施する構成とする。このとき、窓部１３ａ，１３ｂが施錠状態であるとする第３条件が成立している場合にシャッタカーテン２２を開放状態にするとよい。具体的には、コントローラ３０は、窓部１３ａ，１３ｂの施錠装置１８ａ，１８ｂに電気的に接続されており（図３参照）、施錠装置１８ａ，１８ｂから入力される検出信号に基づいて施錠装置１８ａ，１８ｂの施解錠状態を識別する。そして、第１条件及び第２条件が成立し、かつ施錠装置１８ａ，１８ｂから施錠状態であることが入力されている場合（第３条件が成立している場合）に、シャッタカーテン２２を閉鎖状態から開放状態にする。窓部１３ａ，１３ｂが施錠状態であるのにもかかわらずオープンスペースＡ０に進入者が存在している場合、その進入者は不審者である可能性が高い。したがって、第３条件を加えて開閉制御を実施することにより、住人等のオープンスペースＡ０への進入が許容されている者に対する過度の警戒を抑制しつつ不審者に対する警戒を十分に行うことができる。
【００４６】
・第１条件及び第２条件に加え、更に、建物本体１１のうちオープンスペースＡ０に面して設けられた窓部１３ａ，１３ｂから建物本体１１内に侵入しようとしている者が検出されていること（第４条件）が成立している場合にシャッタカーテン２２を閉鎖状態から開放状態にする構成とする。窓部１３ａ，１３ｂから建物本体１１に侵入しようとする者に対してシャッタ装置２０の開閉制御による威嚇を行うことにより、オープンスペースＡ０への進入が許容されている者（住人等）に対する警告を行わないようにしつつ、同進入が許容されていない者（不審者）に対する警告を実施することができる。
【００４７】
具体的には、図６に示すように、窓部１３ａ，１３ｂの近傍領域を検出エリアとする人検出センサ４１（侵入者検出手段）を設ける。人検出センサ４１により人有りの検出がなされていない場合には、図６（ａ）に示すように、中庭Ａ１又はバルコニー空間Ａ２に侵入者ありと検出されているときであっても、シャッタカーテン２２を閉鎖状態のままにする。一方、人検出センサ４１により人有りの検出がなされた場合には、中庭Ａ１又はバルコニー空間Ａ２への侵入者Ｐが窓部１３ａ，１３ｂに近付いて建物本体１１内に侵入しようとしている、つまり第４条件が成立していると判定し、図６（ｂ）に示すように、シャッタカーテン２２を閉鎖状態から開放状態にする。
【００４８】
あるいは、侵入者検出手段として、窓部１３ａ，１３ｂに人が接触したことを検出するタッチセンサや、窓部１３ａ，１３ｂが振動されたことを検出する振動センサを設け、それらのセンサに基づいて中庭Ａ１又はバルコニー空間Ａ２への侵入者が窓部１３ａ，１３ｂから建物本体１１内に侵入しようとしているものと判断する。
【００４９】
なお、第４条件の成立状況に応じてシャッタ装置２０の開閉制御を実施する構成において、更に第３条件の成立状況に応じて同開閉制御を実施するとよい。すなわち、窓部１３ａ，１３ｂが施錠状態であるのにもかかわらず、窓部１３ａ，１３ｂに接近したり接触したり、あるいは窓部１３ａ，１３ｂに振動を与えたりする者は不審者である可能性が高い。したがって、第１〜第４条件の全てが成立した場合にシャッタ装置２０を閉鎖状態から開放状態にすることにより、住人に対する過度の警戒を抑制しつつ不審者に対する警戒を十分に行うといった効果を好適に実現できる。
【００５０】
・人感センサ２５により人有りと検出された場合に、全てのシャッタカーテン２２を開放状態にする構成としたが、一部のシャッタカーテン２２を開放状態にする構成としてもよい。例えば、人感センサ２５のうち第１センサ２５ａにより人有りと検出された場合に、一階部分のシャッタカーテン２２だけを閉鎖状態から開放状態にする。一方、第２センサ２５ｂにより人有りと検出された場合には、二階部分のシャッタカーテン２２だけを閉鎖状態から開放状態にする。
【００５１】
・人感センサ２５により人有りと検出された場合に一部のシャッタカーテン２２を開放状態にする構成において、オープンスペースＡ０の正面側及び背面側のいずれかのシャッタ装置２０のシャッタカーテン２２のみを開放状態にする。例えば、オープンスペースＡ０の正面側の方が背面側よりも人通りが多いことを考慮し、オープンスペースＡ０の正面側のシャッタカーテン２２のみを開放状態にする。
【００５２】
・開口部１７ａ，１７ｂにおいて一階部分と二階部分とにシャッタ装置２０を別個に設ける構成としたが、これを変更し、一階部分及び二階部分のいずれかにシャッタ装置２０を設ける構成とする。例えば、一階部分にのみシャッタ装置２０を設けた場合、中庭Ａ１の人の有無に基づいて同シャッタ装置２０の開閉制御を実施する。一方、二階部分にのみシャッタ装置２０設けた場合、バルコニー空間Ａ２の人の有無に基づいて同シャッタ装置２０の開閉制御を実施する。
【００５３】
あるいは、一階部分と二階部分との開閉を同時に実施可能な１つのシャッタ装置を開口部１７ａ，１７ｂに設ける構成としてもよい。かかる場合、例えば中庭Ａ１及びバルコニー空間Ａ２のいずれかで人有りと検出されたときに同シャッタ装置を開放状態にする。
【００５４】
・人感センサ２５により人有りと検出されていることを条件にシャッタカーテン２２を閉鎖状態から開放状態にする構成としたが、これを変更し、人感センサ２５により人有りと検出された状態が所定時間継続した時点でシャッタカーテン２２を閉鎖状態から開放状態にする構成とする。つまり、中庭Ａ１又はバルコニー空間Ａ２での滞在を許可する時間を定めておき、その滞在許可時間が経過した時点でシャッタカーテン２２を開放状態にする。こうすることで、人感センサ２５の誤検出に起因するシャッタ装置２０の誤作動を抑制することができる。また、シャッタ装置２０が過度に開閉制御されるのを抑制することができる。
【００５５】
・建物本体１１と仕切り壁１４との間の開口部１７ａ，１７ｂにシャッタ装置２０を設け、そのシャッタ装置２０におけるシャッタカーテン２２の開閉制御を行う構成としたが、開口部１７ａ，１７ｂ及びシャッタ装置２０の数や設置場所については上記に限定しない。例えば、図７に示すように、建物本体１１において対向する２つの外壁１９，１９間に、水平方向に屋外に開放された中庭Ａ１が形成されている場合、その中庭Ａ１の開口部１７にシャッタ装置２０を設置する。この構成においても上記実施形態と同様の効果が得られる。
【００５６】
・建物本体１１においてオープンスペースＡ０に対面しない位置に設けられた建物開口部（例えば、玄関１２や窓部１３）からの侵入者の有無を検出する検出手段を設け、その検出手段により玄関１２等からの侵入者有りと検出された場合にシャッタ装置２０を開放状態にする構成とする。こうすることにより、建物外周からの侵入者に対しても威嚇することができる。
【００５７】
・人感センサ２５として、オープンスペースＡ０の上部（例えば、建物本体１１の屋根部近傍又は仕切り壁１４の上端部近傍）を人検出エリアとする第３センサを設け、第３センサにより人有りの旨が検出された場合にシャッタ装置２０を開放状態にする。建物本体１１の屋根部からオープンスペースＡ０に進入する者や、仕切り壁１４を乗り越えてオープンスペースＡ０に進入する者、つまりオープンスペースＡ０の上部からの進入者は、正規でない進入経路から建物本体１１内に進入する者であり、建物本体１１への進入が許容されていない者（不審者）である可能性が高い。したがって、オープンスペースＡ０の上部からの進入者の有無に基づいてシャッタ装置２０の開閉制御を実施することにより、不審者に対する警戒を確実に行いつつ、住人に対する威嚇を抑制することができる。
【００５８】
・オープンスペースＡ０に対面する窓部１３ａ，１３ｂに、コントローラ３０からの駆動信号に基づいて開閉可能なシャッタカーテンを有する窓シャッタ４２（図７参照）を設け、開口部１７ａ，１７ｂに配置されたシャッタ装置２０が閉鎖状態であり（第１条件）、かつオープンスペースＡ０で人有りの検出がなされている（第２条件）場合に窓シャッタ４２を閉鎖状態にする。こうすることにより、中庭Ａ１やバルコニー空間Ａ２に滞在している不審者が、窓部１３ａ，１３ｂから建物本体１１内へ侵入するのを好適に抑制することができる。
【００５９】
・窓部１３ａ，１３ｂに窓シャッタ４２を備える構成において、開口部１７ａ，１７ｂからの侵入者を検出するセンサ等の検出手段を設け、その検出手段により開口部１７からの侵入者有りと検出された場合に窓シャッタ４２を閉鎖状態にする。
【００６０】
・シャッタ装置２０のシャッタカーテン２２を、複数のスラットが上下方向に配置されたルーバとして構成し、同スラットの回動角度をコントローラ３０により調整可能にする。具体的には、スラットの回動を行うための駆動装置（モータ等）を設け、その駆動装置に対しコントローラ３０が駆動信号を出力することにより、駆動装置を駆動してスラットの回動角度（傾斜角度）を調整する。かかる構成において、第１条件及び第２条件が成立している場合に、シャッタカーテン２２を閉鎖状態から開放状態にする構成に代えてスラットの開き度合いを大きくする（遮蔽度を下げる）構成とする。具体的には、スラット間の隙間がゼロ又は最小（スラット開度範囲が予め定められている場合はその最小値）となる全閉状態のときに第１条件及び第２条件が成立している場合、シャッタカーテン２２のスラットの開閉状態を、スラット間の隙間が最大（スラット開度範囲が予め定められている場合はその最大値）となる全開状態に変更する。こうすることにより、オープンスペースＡ０の様子を、スラット間の隙間を通じて建物外部から視認することができ、その結果、オープンスペースＡ０に侵入した不審者の発見を容易に行うことができる。
【００６１】
・シャッタカーテン２２が複数のスラットからなるルーバとして構成されている場合、第１条件及び第２条件の成立結果に基づいてスラットの開閉状態を変更する際に、そのスラットの回動角度を、玄関１２や窓部１３の施解錠状態や時間帯、季節などに応じて変更する。例えば、玄関１２や窓部１３が施錠状態の場合には、解錠状態の場合に比べ、スラットの回動角度がより大きくなるようにする（遮蔽度がより小さくなるようにする）。
【００６２】
・オープンスペースＡ０への進入者が住人であることを識別可能な手段を設け、同進入者が住人であることが検出された場合には、第１条件及び第２条件の成立時であってもシャッタ装置２０を閉鎖状態のままにする構成とする。具体的には、コントローラ３０は、住人に携帯され固有の識別情報（ＩＤ情報）が記憶された電子キーとの間で無線通信が可能に構成されている。第１条件及び第２条件が成立している場合に電子キーからの受信情報（キーＩＤ）によるユーザ認証を行い、キーＩＤが正規ＩＤであればその進入者が住人であると判定し、シャッタ装置２０の閉鎖状態を維持する。一方、第１条件及び第２条件が成立している場合にキーＩＤが入力されないか、又はユーザ認証によりキーＩＤが正規ＩＤでないと判定されれば、その進入者は不審者であると判定し、シャッタ装置２０を閉鎖状態から開放状態に変更する。
【００６３】
・音や光などによる警告を発する警告手段を設け、第１条件及び第２条件の成立に伴いシャッタ装置２０を開放状態にする場合に、警告手段により警告を発する構成としてもよい。
【００６４】
・開閉装置をシャッタ装置２０として説明したが、屋外からオープンスペースＡ０への視線を遮断可能なものであればシャッタ装置２０に限定しない。例えば、可動式の壁部材やドアなどとしてもよい。また、上下開閉するシャッタ装置２０について説明したが、左右に開閉する横開閉式のシャッタ装置を本発明に適用してもよい。
【符号の説明】
【００６５】
１０…建物、１１…建物本体、１３ａ，１３ｂ…窓部（窓設備）、１４…仕切り壁（壁部）、１７ａ，１７ｂ…開口部、１８ａ，１８ｂ…施錠装置、２０…シャッタ装置（開閉装置）、２２…シャッタカーテン、２４…開閉センサ（開閉検出手段）、２５…人感センサ（人検出手段）、３０…コントローラ（開閉制御手段、施解錠検出手段）、４１…人検出センサ（侵入者検出手段）、４２…窓シャッタ（窓部開閉装置）。
【図１】
2010180592.tif 000003
【図２】
2010180592.tif 000004
【図３】
2010180592.tif 000005
【図４】
2010180592.tif 000006
【図５】
2010180592.tif 000007
【図６】
2010180592.tif 000008
【図７】
2010180592.tif 000009